(57)【要約】      （修正有）【課題】入浴者の姿勢を安定に支持でき楽に入浴できる下腿受け付搬送車を提供すること。【解決手段】搬送車は台車２と台車２上に装備される乗座部３とから構成され、乗座部３は、背凭れ１０と、座部９と、下肢フレーム７と、下肢フレーム７に載設される下腿受け６とから構成され、下腿受け６と下肢フレーム７の間に、下腿受け６を下肢フレーム７から離間・接近可能に支持する調節機構１４が設けられ、介助者は、調節機構１４を調節して下腿受け６を下肢フレーム７から離間した任意の位置へ移動できることを特徴とする下腿受け付搬送車である。【選択図】図１
2011067469.tif 000002
【特許請求の範囲】
【請求項１】
搬送車１は台車２と台車２上に装備される乗座部３とから構成され、乗座部３は、背凭れ１０と、座部９と、下肢フレーム７と、下肢フレーム７に載設される下腿受け６とから構成され、下腿受け６と下肢フレーム７の間に、下腿受け６を下肢フレーム７から離間・接近可能に支持する調節機構１４が設けられ、
介助者は、調節機構１４を調節して下腿受け６を下肢フレーム７から離間した任意の位置へ移動できることを特徴とする下腿受け付搬送車。
【請求項２】
下腿受け６の先部は、下肢フレーム７に下腿受け軸２５で軸支され、下腿受け６の基部は調節機構１４で下肢フレーム７に係止されてなり、調節機構１４は、下腿受け６に軸支されるアーム１５とアーム１５に設けられアーム１５を下肢フレーム７に係止する固定部材３８とからなり、アーム１５及び固定部材３８は、搬送車１の左右に設けられ、左右のアーム１５又は左右の固定部材３８は左右が連結されてなり、
固定部材３８又はアーム７の左右のいずれか一方の操作で、アーム１５を下肢フレーム７に係止・解除できるものであることを特徴とする請求項１記載の下腿受け付搬送車。
【請求項３】
下腿受け６の先部は、下肢フレーム７に下腿受け軸２５で軸支され、下腿受け６の基部は調節機構１４で下肢フレーム７に係止されてなり、調節機構１４は、下腿受け６に軸支されるアーム１５とアーム１５の下端に設けられアーム１５を下肢フレーム７に係止する固定部材３８とからなり、固定部材３８は、アーム１５を下肢フレーム７に着脱可能に係止してなり、
固定部材３８を離脱操作すれば、下腿受け６は下腿受け軸２５を中心に回動し裏返しできることを特徴とする請求項１記載の下腿受け付搬送車。
【発明の詳細な説明】
【技術分野】
【０００１】
本発明は、身体障害者及び高齢者（以下、要介護者）、特に要介護度の高い要介護者の介護入浴を行なう下腿受け付搬送車に関するものである。
【背景技術】
【０００２】
従来装置の特許文献１のものは、膝立て式担架において、角度調節支持機構を、上腿支持部と下腿支持部を結合する下関節連結部の下連結軸に上端部が枢着された支持棒と、支持棒の下端部が選択的に係脱し得る掛止部を備えてフレ−ム(Ｆ)側に装設される掛止具とで構成し、支持棒の上端部および下端部に上・下操作把手を付設してあることを特徴とする膝立て式担架である。
【先行技術文献】
【特許文献】
【０００３】
【特許文献１】実開平６−７５４６６号公報
【発明の概要】
【発明が解決しようとする課題】
【０００４】
特許文献１に記載された構成では、角度調節支持機構Ｓが、支持棒６と、その支持棒６の下端部が選択的に係脱し得る掛止具とで構成されるので、ネジ軸を必要とした従来のものに比べると構造が著しく簡単で低廉であり、操作手数および所要時間が大幅に低減されることとなった。
しかし、特許文献１に記載された担架は、寝姿勢の入浴者の下肢を上方に屈曲させて入浴者を立て膝姿勢に変更するものであって、下肢の長い入浴者にはふくらはぎ部に空間ができたり、下肢の短い入浴者には大腿に張力が掛かったりする不都合があった。又、座姿勢或いは後傾座姿勢の入浴者に対してふくらはぎのみを支持し下肢の安定を図るものではなかった。
本発明の目的は、入浴者の身長差に関係無く入浴者の姿勢を安定に支持でき楽に入浴できる下腿受け付搬送車を提供するものである。
【課題を解決するための手段】
【０００５】
上記目的を実現する本発明は、搬送車１は台車２と台車２上に装備される乗座部３とから構成され、乗座部３は、背凭れ１０と、座部９と、下肢フレーム７と、下肢フレーム７に載設される下腿受け６とから構成され、下腿受け６と下肢フレーム７の間に、下腿受け６を下肢フレーム７から離間・接近可能に支持する調節機構１４が設けられ、介助者は、調節機構１４を調節して下腿受け６を下肢フレーム７から離間した任意の位置へ移動できることを特徴とする下腿受け付搬送車である。
又、下腿受け６の先部は、下肢フレーム７に下腿受け軸２５で軸支され、下腿受け６の基部は調節機構１４で下肢フレーム７に係止されてなり、調節機構１４は、下腿受け６に軸支されるアーム１５とアーム１５に設けられアーム１５を下肢フレーム７に係止する固定部材３８とからなり、アーム１５及び固定部材３８は、搬送車１の左右に設けられ、左右のアーム１５又は左右の固定部材３８は左右が連結されてなり、
固定部材３８又はアーム７の左右のいずれか一方の操作で、アーム１５を下肢フレーム７に係止・解除できるものである。
更に、下腿受け６の先部は、下肢フレーム７に下腿受け軸２５で軸支され、下腿受け６の基部は調節機構１４で下肢フレーム７に係止されてなり、調節機構１４は、下腿受け６に軸支されるアーム１５とアーム１５の下端に設けられアーム１５を下肢フレーム７に係止する固定部材３８とからなり、固定部材３８は、アーム１５を下肢フレーム７に着脱可能に係止してなり、固定部材３８を離脱操作すれば、下腿受け６は下腿受け軸２５を中心に回動し裏返しできる。
【発明の効果】
【０００６】
本発明に係る調節機構１４は、下腿受け６の裏側に垂下状に軸支されるアーム１５と、アーム１５の下端に設けられアーム１５を下肢フレーム７に係止する操作具１６とからなり、介助者は、前述の係止を解除しアーム１５を移動させれば、下腿受け６は下肢フレーム７に離間・当接するから、座姿勢の入浴者のふくらはぎを好適に支持できこの支持によって膝の開らきを抑制でき、入浴者を安定に支持でき、安全に楽に入浴でき、好都合である。
【０００７】
本発明に係る調節機構１４は、下腿受け６軸支されるアーム１５とアーム１５に設けられアーム１５を下肢フレーム７に係止する固定部材３８とからなり、アーム１５及び固定部材３８は、搬送車１の左右に設けられ、左右のアーム１５又は左右の固定部材３８は左右が連結されてなるから、固定部材３８又はアーム７の左右のいずれか一方の操作で、アーム１５を下肢フレーム７に係止・解除でき、好都合である。
上記操作で係止を解除すれば下腿受け６の位置調節が可能であり、介助者は、片手で上記位置調節が容易に行なえ、好都合である。
【０００８】
本発明に係る調節機構１４は、下腿受け６に軸支されるアーム１５とアーム１５の下端に設けられアーム１５を下肢フレーム７に係止する固定部材３８とからなり、固定部材３８は、アーム１５を下肢フレーム７に着脱可能に係止してなるから、固定部材３８を離脱操作すれば、下腿受け６は下腿受け軸２５を中心に回動し裏返しでき、機器の清掃時にはその作業が容易であり作業時間を短縮でき、好都合である。
【図面の簡単な説明】
【０００９】
【図１】本発明の実施例１の右側面図である。
【図２】本発明の実施例１の下腿受け６の右側面図である。
【図３】本発明の実施例１の固定部材を示す図である。
【図４】本発明の実施例１の連結軸を有する固定部材を示す図である。
【発明を実施するための形態】
【実施例１】
【００１０】
以下、図１乃至４を参照しつつ本発明の実施例１を説明する。
下腿受け付搬送車５は、入浴者を搬送及び入浴させる搬送車１に、入浴者の下腿を支持する下腿受け６を設けたものである。搬送車１は、台車２と、台車２に載設される乗座部３とからなる。
【００１１】
実施例１は、チルト式分離型である。乗座部３は、乗座部フレーム２８と、座部９と、背凭れ１０と、下肢受け４と、チルト機構１１とからなる。
【００１２】
下肢受け４は、下肢フレーム７と、下肢フレーム７の先部に取着されるフットレスト８と、下肢フレーム７の上部に取着され入浴者の下腿（＝脹脛ほか）を受ける下腿受け６とからなる。
下肢フレーム７は４節リンクでなりその基部が座部９に前・後取付軸１２・１３で軸着され、これらの軸を中心に回動する。
下肢受け４は、搬送車１の正面向きに取着され、前記前・後取付軸１２・１３を中心に垂下位置から水平位置に回動できる。
【００１３】
下肢受け４は、背凭れ１０を後傾させた時、下肢受け４と背凭れ１０の間にリンクして設けられる縦連接棒（図示省略）に押されて、前・後取付軸１２・１３を中心に垂直面状に回動する。
【００１４】
下腿受け６は、先方部を下肢フレーム７に下腿受け軸２５で取り付けられ、基方部を、下肢フレーム７に調節機構１４で取り付けられる。
下腿受け６は、調節機構１４によって突出移動が可能であり、又、下腿受け６は、固定部材３８を解除した時は、下腿受け軸２５を中心に、裏返し位置にまで回動可能である。
【００１５】
下腿受け６と下肢フレーム７の間に、下腿受け６を下肢フレーム７に離間・当接させる調節機構１４が座部９に設けられる。
調節機構１４は、下腿受け６の裏側の左右に垂下状に軸支されるアーム１５と、アーム１５の下端に設けられアーム１５を下肢フレーム７に係止する固定部材３８とからなる。
アーム１５の取り付け位置に係る他の実施例は、アーム１５を下腿受け６の左右側部に設ける。
固定部材３８の具体例は、操作具１６である。
【００１６】
下肢フレーム７にはこの下肢フレーム７の延長方向に添って長穴１７が開設され、操作具１６は、長穴１７に規制されて長穴１７の基方端部１８から先方端部１９の間を移動できるものである。
【００１７】
長穴１７の基方端部１８、中間凹部３７、及び先方端部１９では、基方端部１８、中間凹部３７、及び先方端部１９に至った操作具１６はその部位に係止され、操作具１６がその部位から外れ難い構成にしている。
基方端部１８、中間凹部３７、及び先方端部１９に、操作具１６が基方端部１８、中間凹部３７、及び先方端部１９から外出するのを困難に囲う鉤状囲い部２０が形成される。
操作具１６が基方端部１８から外れ先方端部１９へ至ると、下腿受け６の遊端側はアーム１５に突き上げられて下肢フレーム７から離間する。
また、逆に操作具１６が先方端部１９から外れ基方端部１８へ至ると、下腿受け６の遊端側はアーム１５に引き下げられて下肢フレーム７に接近し当接する。
操作具１６が中間凹部３７へ至ると、下腿受け６の遊端側は上記離間位置と当接位置との中間に位置する。
【００１８】
図４に、左右の操作具１６を連結軸３０で連結したものを示す。
左右の操作具１６を連結軸３０で連結したものでは、左右の操作具１６は一体化され連結軸３０を中心に同時に動き、左右の操作具１６のいずれかの操作部１６を解除操作することにより下腿受け６の位置調節が可能となる。
尚、連結軸３０は、操作具１６を連結したが、左右のアーム１５を連結してもよい。
【００１９】
固定部材３８には、操作具１６を支持する進退機構２１が取着される。
図３に示す固定部材３８は、アーム１５を下肢フレーム７に着脱可能に係止してなり、固定部材３８を離脱操作すれば、下腿受け６は下腿受け軸２５を中心に回動し裏返しできる。
尚、図３、４に示す添え板７ａは、下肢フレーム７に添着した板であり、下肢フレーム７と同等の物であり、下肢フレーム７に含まれるものとする。
【００２０】
進退機構２１は、アーム１５と操作具１６にわたって設けられ、操作具１６を進退可能に支持するものである。
進退機構２１は、操作具１６を支持する支持部２２と、バネ２３と、基・先ピン２４ａ・２４ｂとから構成される。
バネ２３は、操作具１６の先部が長穴１７に掛かるように、操作具１６を搬送車１の内方向（＝長穴１７の内部方向）に進入付勢するものである。基・先ピン２４ａ・２４ｂは、バネ２３及び操作具１６を支持部２２に保持するものである。
介助者が、操作具１６をバネ２３の付勢力に抗して搬送車１の外方向へ引き出すと、操作具１６の先部が長穴１７から抜け出、アーム１５は下肢フレーム７から外れるものである。
【００２１】
チルト機構１１は乗座部３を後方へ回動させて後傾位置に設定するものであり、座部９の裏部に垂下状に取着される支持片２７と、支持片２７を乗座部フレーム２８に軸支する支軸（図示省略）と、乗座部３を腰掛位置と後傾位置とのいずれかに固定・解除するロック具２９とを有する。
【００２２】
乗座部３は、座部９の下方部に設けられる前記支軸を中心に後方へ回動する。乗座部３の後傾動に連動して下肢受け４が回動し上方へ移動する。この上方移動で乗座部３上の入浴者は長座位の後傾姿勢になる。
又、チルト機構１１とは別に、座部９に対して背凭れ１０の角度を広げ、背凭れ１０を後傾させるリクライニング機構（図示省略）が設けられる。
【００２３】
座部９は、座部フレーム３２と、座部カバー３３とからなる。
座部カバー３３の基部は座部軸３４で座部フレーム３２に軸支され、座部フレーム３２には掛レバー３１が回動可能に設けられる。座部カバー３３には掛レバー３１が掛る受片３５が取着される。
【００２４】
座部掛止具３６は、座部カバー３３が座部フレーム３２に当接載置されている時、受片３５に掛レバー３１を掛けて座部カバー３３を固定するものである。
掛レバー３１を移動させて受片３５から外し固定機能を解除すれば、座部カバー３３は座部軸３４を中心に回動可能である。前記解除下で、座部カバー３３の先部を持ち上げれば、座部カバー３３は、座部フレーム３２に当接した位置から起立した位置へ移動可能となる。
【００２５】
入浴の際、搬送車１に入浴者を乗せ、搬送車１をチルト機構１１を操作して上記後傾位置に設定する。前記リクライニング機構を操作すれば背凭れ１０を更に後傾できる。
入浴者は乗座部３に腰掛けた後、長座位の後傾姿勢になる。後傾姿勢時に、入浴者のふくらはぎと下腿受け６の間に空間があった場合には、下腿受け６を調節機構１４によって前方の斜め上方へ突出させ、下腿受け６をふくらはぎに添わせ、下腿を支持する。
【００２６】
その際、固定部材３８の操作によって、係止、解除し位置を調節する。介助者は、先ず、固定部材３８の具体例の操作具１６を持ってこれを長穴１７通路の鉤状囲い部２０を通過させ、基方端部１８から出す。操作具１６の基方端部１８への係止を解除する。
次に、介助者は操作具１６を掴んで、長穴１７通路を移動させ、基方端部１８から中間凹部３７又は先方端部１９へ移動させる。
前記移動により、アーム１５が下腿受け６を突き上げ、下腿受け６は下肢フレーム７から離間移動し、下腿受け６は下腿に当接し下腿を支持をする。
【００２７】
操作具１６は、下肢フレーム７の長穴１７の基方端部１８、中間凹部３７、又は先方端部１９のいずれかに移動させる。
下腿受け６が浮力その他の作用を受けたとき、操作具１６に力が掛かる。しかし、鉤状囲い部２０が操作具１６の移動を阻止し、操作具１６は容易には基方端部１８、中間凹部３７、又は先方端部１９から、自然に外れるということはない。介助者の解除動作によらないで自然に又は水の作用で操作具１６が基・中間・先方・１８・３７・１９から外の長穴１７の通路部分２６に出ることはない。
【００２８】
操作具１６が基方端部１８、中間凹部３７、又は先方端部１９から自然に外出しないから、浮力等によって不本意に下腿受け６が移動することがなく、安全に確実に下腿受け６を支持でき、好都合である。
左右の操作具１６は一体的に動くので、調節操作の際は、左右の操作具１６のいずれか1つをもって操作すればよい。
【００２９】
図示を省略するが、搬送車１を前方へ移動させて、扉（図示省略）を開放した扉付き浴槽（図示省略）へ押し込む。この時、乗座部３と台車２が分離し、乗座部３は前記扉付き浴槽内に入り、台車２は前記扉付き浴槽下方外部の空間へ進入する。前記扉を閉め、前記浴槽に湯を入れ、入浴する。
【００３０】
下腿受け６を清掃する際などには、介助者は固定部材３８の固定機能を解除し、アーム１５を下肢フレーム７から離脱させて、下腿受け６を上へめくる。
即ち、先ず、介助者は両手で左右の操作具１６を掴んで、そのままの状態で両腕を広げ、バネ力に抗して搬送車１の外方向へ引く。操作具１６の先部を支持部２２内へ引っ込め長穴１７から抜く。
操作具１６の先部を長穴１７から抜くと、操作具１６の係止は解除され、操作具１６は移動自在になる。
アーム１５も移動自在になり、下腿受け６も下腿受け軸２５を中心に回動自在になる。
【００３１】
次に、下腿受け６の基部（＝遊端側）を持ち上げ、下腿受け軸２５を中心にしてまわし、裏返しにする。下腿受け６を転覆状態にしておいてその裏面を掃除する。
上記構成、作用によれば、下腿受け軸２５を中心にして裏返しすることが容易にでき、清掃を容易に行なえる。
【００３２】
次に、座部９に付いて述べる。
介助者は、掛レバー３１を回動させて受片３５から外す。次に、座部カバー３３の先部を持ち上げ、まわす。座部カバー３３を、座部フレーム３２に当接した位置から起立した位置へ移動し、座部カバー３３の裏面を掃除する。搬送車１の修理時にも座部カバー３３をはぐることがある。掃除する時、座部カバー３３を起立位置にすれば、清掃が容易に行なえる。
【実施例２】
【００３３】
実施例２は、実施例１の長穴１７を、基穴１８ａ・先穴１９ａの代えたものである。
下肢フレーム７にはこの下肢フレーム７の延長方向と直角の方向（＝幅方向）に、間隔をもって、一方部に基穴１８ａと、他方部に先穴１９ａとが開けられる。
他の実施例では、基穴１８ａ及び先穴１９ａを共に囲うＣ字形ガイドを設けてもよい。
操作具１６は、進退移動可能にアーム１５の先部に設けられる。
操作具１６を基穴１８ａに止めると下腿受け６は下肢フレーム７に当接し、操作具１６を先穴１９ａに止めると下腿受け６は下肢フレーム７から離間するものである。
【００３４】
介助者は、操作具１６を、基穴１８ａ・先穴１９ａのいずれかを選択し、下腿受け６の位置を調節したうえ掛止し、下腿受け６を入浴者に好適な位置に固定する。操作具１６を、両穴から外せば、下腿受け６を裏返しにできる。
介助者は、操作具１６を止める穴を選択し掛止して下腿受け６の位置を調節するものであるから、簡素な構成をもって確実に操作具１６を止め下腿受け６を当接・離間位置に確実に設定できる。
【産業上の利用可能性】
【００３５】
本発明は、身体障害者及び高齢者（以下、要介護者）、特に要介護度の高い要介護者の介護入浴を行なう下腿受け付搬送車５に適用できる。
又、本発明は、入浴者の姿勢を安定に支持でき楽に入浴できる下腿受け付搬送車５に適用できる。
更に、介助者は、下腿受け６を下肢フレーム７に離間・当接できることを特徴とする下腿受け付搬送車５に適用できる。
【符号の説明】
【００３６】
１    搬送車
２    台車
３    乗座部
５    下腿受け付搬送車
６    下腿受け
７    下肢フレーム
８    フットレスト
９    座部
１０    背凭れ
１４    調節機構
１５    アーム
１６    操作軸
１７    長穴
１８    基方端部
１８ａ  基穴
１９    先方端部
１９ａ  先穴
２１    進退機構
２２    支持部
２５    下腿受け軸
３０    中間凹部
３８    固定部材
【図１】
2011067469.tif 000003
【図２】
2011067469.tif 000004
【図３】
2011067469.tif 000005
【図４】
2011067469.tif 000006